(57)【要約】  本技術は、ユーザが、画像のフレームレートを、迅速に決定することができるようにする表示制御装置、表示制御方法、及び、プログラムに関する。所定の状況変化に応じて、フレームレートが変更可能な画像を、フレームレートと異なる表示レートで表示装置に表示させる特殊再生が開始される。本技術は、例えば、フレームレートを変更して、画像を撮像することができるディジタルカメラ等に適用することができる。
2017150237.tif 000002
【特許請求の範囲】
【請求項１】
所定の状況変化に応じて、フレームレートが変更可能な画像を、前記フレームレートと異なる表示レートで表示装置に表示させる特殊再生を開始する表示制御部を備える
表示制御装置。
【請求項２】
前記表示制御部は、前記所定の状況変化に応じて、所定の特殊再生期間だけ、前記特殊再生を行う
請求項１に記載の表示制御装置。
【請求項３】
前記表示制御部は、前記フレームレートの変更に応じて、所定の特殊再生期間だけ、前記特殊再生を行うことを、所定の特殊再生周期で繰り返す特殊プレビュー処理を行う
請求項２に記載の表示制御装置。
【請求項４】
前記所定の状況変化は、前記フレームレートの変更である
請求項１に記載の表示制御装置。
【請求項５】
ユーザの操作に応じて、前記特殊再生の対象となる前記画像の対象期間を設定する
請求項３に記載の表示制御装置。
【請求項６】
ユーザの操作に応じて、前記特殊再生期間及び前記特殊再生周期を設定する
請求項３に記載の表示制御装置。
【請求項７】
前記表示制御部は、前記特殊再生周期のうちの、前記特殊再生期間以外の期間を、通常再生期間として、前記通常再生期間に、前記フレームレートと前記表示レートとを同一にして、前記画像を前記表示装置に表示させる通常再生を行う
請求項３に記載の表示制御装置。
【請求項８】
前記表示制御部は、前記フレームレートが変更された場合、変更後の前記フレームレートの前記画像について、前記特殊プレビュー処理を開始する
請求項３に記載の表示制御装置。
【請求項９】
前記表示制御部は、前記フレームレートが変更された場合、変更時に行われている、前記フレームレートの変更前の前記画像についての前記特殊プレビュー処理の前記特殊再生周期の終了後に、前記フレームレートの変更後の前記画像についての前記特殊プレビュー処理を開始する
請求項３に記載の表示制御装置。
【請求項１０】
前記フレームレートが前記表示レートより大に変更された場合、前記画像は、スロー再生され、
前記フレームレートが前記表示レートより小に変更された場合、前記画像は、早送り再生される
請求項４に記載の表示制御装置。
【請求項１１】
前記所定の状況変化は、前記画像から検出される状況変化である
請求項１に記載の表示制御装置。
【請求項１２】
前記所定の状況変化は、前記画像の撮像時に行われるセンシングにより得られるセンサ情報から検出される状況変化である
請求項１に記載の表示制御装置。
【請求項１３】
前記表示制御部は、
所定の特殊再生期間だけ、前記特殊再生を行うことを、所定の特殊再生周期で繰り返す特殊プレビュー処理を行うとともに、
前記所定の状況変化に応じて、所定の特殊再生期間だけ、前記特殊再生を行う
請求項２に記載の表示制御装置。
【請求項１４】
前記表示制御部は、
前記フレームレートの変更に応じて、前記特殊プレビュー処理を行い、
前記フレームレートの変更以外の前記所定の状況変化に応じて、所定の特殊再生期間だけ、前記特殊再生を行う
請求項１３に記載の表示制御装置。
【請求項１５】
前記表示制御部は、前記フレームレートの変更以外の前記所定の状況変化が発生した場合、即座に、所定の特殊再生期間だけ、前記特殊再生を行う
請求項１４に記載の表示制御装置。
【請求項１６】
ユーザの操作に応じて、前記フレームレートの変更以外の前記所定の状況変化を設定する
請求項１４に記載の表示制御装置。
【請求項１７】
前記フレームレートの変更以外の前記所定の状況変化に応じた前記特殊再生と、
前記フレームレートの変更以外の前記所定の状況変化に応じた前記特殊再生、及び、前記フレームレートの変更に応じた前記特殊プレビュー処理の両方と
のうちのいずれを行うかを、ユーザの操作に応じて設定する
請求項１４に記載の表示制御装置。
【請求項１８】
所定の状況変化に応じて、フレームレートが変更可能な画像を、前記フレームレートと異なる表示レートで表示装置に表示させる特殊再生を開始する
ステップを含む表示制御方法。
【請求項１９】
所定の状況変化に応じて、フレームレートが変更可能な画像を、前記フレームレートと異なる表示レートで表示装置に表示させる特殊再生を開始する表示制御部
として、コンピュータを機能させるためのプログラム。
【発明の詳細な説明】
【技術分野】
【０００１】
本技術は、表示制御装置、表示制御方法、及び、プログラムに関し、特に、例えば、ユーザが、画像のフレームレートを、迅速に決定することができるようにする表示制御装置、表示制御方法、及び、プログラムに関する。
【背景技術】
【０００２】
例えば、（動）画像を、マルチウインドウに、異なるフレームレートで表示させるディジタルカメラが提案されている（例えば、特許文献１を参照）。
【先行技術文献】
【特許文献】
【０００３】
【特許文献１】特開2007-336522号公報
【発明の概要】
【発明が解決しようとする課題】
【０００４】
近年、新たなディジタルカメラとして、フレームレートの変更が可能なイメージセンサを搭載したディジタルカメラが実現されつつある。かかるディジタルカメラでは、フレームレートを変更し、様々なフレームレートの画像を記録することができる。【０００５】
ところで、ユーザは、フレームレートの変更という技術に慣れておらず、例えば、1fps(Flame Per Second)等の、僅かなフレームレートの変更が画像に与える影響を直感的に認識することは難しい。【０００６】
すなわち、フレームレートの変更が可能なディジタルカメラにおいて、フレームレートを変更して、例えば、高速なフレームレートの画像（以下、高フレームレート画像ともいう）を撮像した場合、その高フレームレート画像は、動きが滑らかな画像やスローモーション画像として利用することができる。【０００７】
ディジタルカメラでは、いわゆるスルー画（ライブビュー画像）が表示されるが、スルー画では、高フレームレート画像について、スローモーション画像として利用した場合の印象を、ユーザが確認することは困難である。【０００８】
したがって、あるフレームレートの画像を記録する前に、そのフレームレートの画像が、どのような画像であるかを確認する、いわゆるプレビューの表示が要請される。【０００９】
すなわち、プレビューを行わない場合、例えば、高フレームレート画像を、スローモーション画像として利用した場合の印象は、例えば、高フレームレート画像の撮像（記録）後、その高フレームレート画像をスローモーション画像として特殊再生し、鑑賞してみて、初めて気がつくことになる。【００１０】
そして、ユーザが、高フレームレート画像の鑑賞後に、スローモーション画像として利用した場合の印象が気に入らなければ、ユーザは、フレームレートを変更して、高フレームレート画像を撮像し直す必要がある。【００１１】
したがって、ユーザは、最適なフレームレートを決定するために、フレームレートを変更して、高フレームレート画像を記録し直し、鑑賞することを繰り返さなければならないことがあり、面倒である。【００１２】
そこで、スローモーション画像のプレビューを表示すれば、ユーザは、プレビューを見て、高フレームレート画像をスローモーション画像として利用する場合の印象を確認し、所望のスローモーション画像となる画像のフレームレートを決定することができる。【００１３】
ところで、今後、フレームレートの変更が可能なディジタルカメラが普及するにつれて、ユーザが、所望するスローモーション画像となる画像のフレームレートを、より迅速に決定することができる方法の提案が要請されると予想される。【００１４】
本技術は、このような状況に鑑みてなされたものであり、例えば、ユーザが所望するスローモーション画像等となる画像のフレームレートを、迅速に決定することができるようにするものである。
【課題を解決するための手段】
【００１５】
本技術の表示制御装置、又は、プログラムは、所定の状況変化に応じて、フレームレートが変更可能な画像を、前記フレームレートと異なる表示レートで表示装置に表示させる特殊再生を開始する表示制御部を備える表示制御装置、又は、そのような表示制御装置として、コンピュータを機能させるためのプログラムである。【００１６】
本技術の表示制御方法は、所定の状況変化に応じて、フレームレートが変更可能な画像を、前記フレームレートと異なる表示レートで表示装置に表示させる特殊再生を開始するステップを含む表示制御方法である。【００１７】
本技術の表示制御装置、表示制御方法、及び、プログラムにおいては、所定の状況変化に応じて、フレームレートが変更可能な画像を、前記フレームレートと異なる表示レートで表示装置に表示させる特殊再生が開始される。【００１８】
なお、表示制御装置は、独立した装置であっても良いし、１つの装置を構成している内部ブロックであっても良い。【００１９】
また、プログラムは、伝送媒体を介して伝送することにより、又は、記録媒体に記録して、提供することができる。
【発明の効果】
【００２０】
本技術によれば、例えば、ユーザが、画像のフレームレートを、迅速に決定することができる。【００２１】
なお、ここに記載された効果は必ずしも限定されるものではなく、本開示中に記載されたいずれかの効果であってもよい。
【図面の簡単な説明】
【００２２】
【図１】本技術を適用したディジタルカメラの一実施の形態の構成例を示すブロック図である。
【図２】撮像装置１２が出力する第１及び第２の画像の例を示す図である。
【図３】ディジタルカメラでのスルー画の表示例を示す図である。
【図４】ディジタルカメラでのスルー画の他の表示例を示す図である。
【図５】ディジタルカメラの処理の例を説明するフローチャートである。
【図６】特殊プレビュー処理での第２の画像の撮像及び表示のタイミングの第１の例を説明するタイミングチャートである。
【図７】特殊プレビュー処理での第２の画像の撮像及び表示のタイミングの第２の例を説明するタイミングチャートである。
【図８】特殊プレビュー処理での第２の画像の撮像及び表示のタイミングの第３の例を説明するタイミングチャートである。
【図９】ディジタルカメラの処理の他の例を説明するフローチャートである。
【図１０】ステップＳ３４で行われるイベントモード処理の例を説明するフローチャートである。
【図１１】ステップＳ３５で行われる等間隔モード処理の例を説明するフローチャートである。
【図１２】イベントモード処理での第２の画像の撮像及び表示のタイミングの第１の例を説明するタイミングチャートである。
【図１３】イベントモード処理での第２の画像の撮像及び表示のタイミングの第２の例を説明するタイミングチャートである。
【図１４】等間隔モード処理での第２の画像の撮像及び表示のタイミングの第１の例を説明するタイミングチャートである。
【図１５】等間隔モード処理での第２の画像の撮像及び表示のタイミングの第２の例を説明するタイミングチャートである。
【図１６】本技術を適用したコンピュータの一実施の形態の構成例を示すブロック図である。
【発明を実施するための形態】
【００２３】
＜本技術を適用したディジタルカメラの一実施の形態＞
【００２４】
図１は、本技術を適用したディジタルカメラの一実施の形態の構成例を示すブロック図である。
【００２５】
なお、ディジタルカメラは、静止画、及び、動画のいずれも撮像することができる。
【００２６】
図１において、ディジタルカメラは、光学系１１、撮像装置１２、ディジタル信号処理部１３、表示装置１４及び１５、メモリ１６、入力装置１７、制御部１８、センサ部１９、並びに、ドライバIC(Integrated Circuit)２０を有する。
【００２７】
光学系１１は、例えば、図示せぬズームレンズや、フォーカスレンズ、絞り等を有し、外部からの光を、撮像装置１２に入射させる。
【００２８】
撮像装置１２は、例えば、CMOS(Complementary Metal Oxide Semiconductor)イメージセンサで構成され、撮像を行う。すなわち、撮像装置１２は、光学系１１からの入射光を受光し、光電変換を行って、光学系１１からの入射光に対応する電気信号としての画像（信号）を得る。そして、撮像装置１２は、撮像により得られる画像を出力する。
【００２９】
ここで、撮像装置１２は、画像のフレームレートの変更が可能なイメージセンサで構成され、例えば、外部からの指示等に応じて、画像のフレームレートを、例えば、1fps(frame per second)等の単位でシームレスに変更することができる。
【００３０】
なお、撮像装置１２は、その他、例えば、マルチストリームを出力すること、すなわち、複数のフレームレートの画像のストリームを同時に出力することが可能なイメージセンサで構成し、撮像により得られる１又は複数の画像のストリームを出力させることができる。
【００３１】
例えば、撮像装置１２は、あらかじめ決められたデフォルトのフレームレート、及び、デフォルトのフレームレートよりも高速又は低速のフレームレート等の複数のフレームレートで撮像を行い、フレームレートが異なる複数の画像（のストリーム）を出力することができる。
【００３２】
撮像装置１２が、マルチストリームを出力するイメージセンサで構成される場合には、そのイメージセンサが出力可能な複数のフレームレートの画像のうちの、１以上の画像については、上述したように、フレームレートの変更が可能になっていることとする。
【００３３】
以下では、撮像装置１２は、デフォルトのフレームレート、及び、デフォルトのフレームレートとは異なるフレームレートで撮像を行い、その撮像により得られるデフォルトのフレームレートの第１の画像、及び、デフォルトのフレームレートとは異なるフレームレートの第２の画像を出力することが可能であることとする。
【００３４】
さらに、撮像装置１２は、少なくとも、第２の画像のフレームレートの変更が可能であることとする。
【００３５】
なお、上述したように、撮像装置１２は、画像のフレームレートの変更が可能なイメージセンサで構成すれば良く、マルチストリームの出力（ここでは、第１及び第２の画像の２ストリームの画像の出力）は、必須ではない。
【００３６】
また、撮像装置１２が、マルチストリームの出力が可能である場合には、第１及び第２の画像の２ストリームの他、フレームレートが異なる３ストリーム以上の画像を出力することができる。
【００３７】
撮像装置１２が出力する第１及び第２の画像は、ディジタル信号処理部１３に供給される。なお、ディジタル信号処理部１３には、撮像装置１２が出力する第１及び第２の画像の他、例えば、サーバからダウンロードされた、異なるフレームレートの複数の画像や、記録媒体から再生された、異なるフレームレートの複数の画像を供給することができる。
【００３８】
ディジタル信号処理部１３は、撮像装置１２からの第１及び第２の画像（のストリーム）に、必要な信号処理を施し、表示装置１４や１５、メモリ１６に供給する。
【００３９】
ディジタル信号処理部１３は、現像処理部３１及び３２、画像解析部３３、記録再生処理部３４、並びに、表示制御部３５を有する。
【００４０】
現像処理部３１には、撮像装置１２からの第１の画像が供給される。現像処理部３１は、撮像装置１２からの第１の画像に現像処理を施し、現像処理後の第１の画像を出力する。現像処理部３１が出力する現像処理後の第１の画像は、記録再生処理部３４、及び、表示制御部３５に供給される。
【００４１】
ここで、現像処理には、いわゆるRAWデータの画像から、例えば、R(red)，G(green)、及び、B(blue)の各色成分のデータを有する画像を生成する処理の他、ノイズ除去等の高画質化の処理を含めることができる。
【００４２】
現像処理部３２には、撮像装置１２からの第２の画像が供給される。現像処理部３２は、撮像装置１２からの第２の画像に現像処理を施し、現像処理後の第２の画像を出力する。現像処理部３２が出力する現像処理後の第２の画像は、記録再生処理部３４、及び、表示制御部３５に供給される。
【００４３】
画像解析部３３には、撮像装置１２が出力する第１及び第２の画像が供給されるとともに、現像処理部３１が出力する現像処理後の第１の画像、及び、現像処理部３２が出力する現像処理後の第２の画像が供給される。
【００４４】
画像解析部３３は、撮像装置１２からの第１及び第２の画像、又は、現像処理部３１からの現像処理後の第１の画像、及び、現像処理部３２からの現像処理後の第２の画像を、リアルタイムで解析する。さらに、画像解析部３３は、第１及び第２の画像の解析により得られる解析結果に基づいて、第１及び第２の画像について、イベントポイントを検出する。画像解析部３３は、イベントポイントを、記録再生処理部３４に供給する。
【００４５】
ここで、イベントポイントとは、シーンチェンジのフレームや、ハイライトシーンの（開始、終了）フレーム、所定の被写体が動き出したフレーム、第１及び第２の画像に映る人等の動物の表情が変化したフレーム等の、所定のイベントが発生したフレームを表す情報である。所定のイベントは、例えば、あらかじめ設定することができる。
【００４６】
イベントポイントには、そのイベントポイントで発生したイベントの内容を、タグとして付すことができる。
【００４７】
記録再生処理部３４は、現像処理部３１からの第１の画像、及び、現像処理部３２からの第２の画像を対象として、記録（記憶）媒体に対する記録や再生を行う。すなわち、記録再生処理部３４は、現像処理部３１からの第１の画像、及び、現像処理部３２からの第２の画像を、必要に応じて符号化し、メモリ１６に記録する（記憶させる）。また、記録再生処理部３４は、メモリ１６から第１及び第２の画像を読み出し、必要に応じて復号することで、第１及び第２の画像を再生し、表示制御部３５や図示せぬ外部出力端子に供給する。
【００４８】
なお、記録再生処理部３４は、第１及び第２の画像を、メモリ１６に記録するときに、その第１及び第２の画像について、画像解析部３３で検出されたイベントポイントも、メモリ１６に記録することができる。メモリ１６に記録されたイベントポイントは、例えば、メモリ１６に記録された第１及び第２の画像を再生するときに、イベントポイントが表すフレームからの頭出し等に使用することができる。
【００４９】
表示制御部３５は、現像処理部３１及び３２から供給される第１及び第２の画像それぞれを、表示装置１４や１５に表示させる表示制御を行う。さらに、表示制御部３５は、アイコン等の、第１及び第２の画像以外の画像を、表示装置１４や１５に表示させる表示制御を行う。
【００５０】
表示装置１４及び１５は、例えば、LCD(Liquid Crystal Display)や有機EL(Electro Luminescence)等で構成され、表示制御部３５の制御に従い、第１の画像や第２の画像、その他の画像を表示する。
【００５１】
なお、表示装置１４は、例えば、ディジタルカメラの背面に設けられた表示パネルを構成し、表示装置１５は、例えば、ディジタルカメラのEVF(Electric Viewfinder)を構成する。
【００５２】
メモリ１６は、記録再生制御部３４の制御に従い、第１及び第２の画像等のデータを記憶する。
【００５３】
入力装置１７は、ユーザが操作可能な操作手段である。入力装置１７は、シャッタ（録画）ボタンやダイヤル等の機械的に操作可能な物理的な操作手段や、表示装置１４に表示される、ボタンやスライドバー等としてのアイコン等の、仮想的な操作手段で構成することができる。表示装置１４に表示されるアイコン等の仮想的な操作手段は、アイコン等が表示される表示装置１４と一体的に構成されるタッチパネルで実現することができる。
【００５４】
入力装置１７は、ユーザの操作に応じた操作信号を、制御部１８に供給する。
【００５５】
制御部１８は、例えば、マイクロコンピュータで構成され、ディジタルカメラを構成する各ブロックを制御する。
【００５６】
すなわち、制御部１８は、撮像装置１２から得られる情報や、入力装置１７からの操作信号、ディジタル信号処理部１３から得られる情報、センサ部１９が出力するセンサ情報、ドライバIC２０から得られる情報等に応じて、撮像装置１２や、ディジタル信号処理部１３、入力装置１７、センサ部１９、ドライバIC２０等を制御する。
【００５７】
例えば、撮像装置１２は、制御部１８の制御に従い、第１の画像の撮像や、第２の画像の撮像、第２の画像のフレームレートの変更等を行う。
【００５８】
センサ部１９は、例えば、マイク等の音を検知するセンサや、加速度を検知するセンサ、時間を検知（計時）するセンサ、その他の任意の物理量を検知するセンサで構成することができる。センサ部１９は、所定の物理量を検知し、その物理量を表すセンサ情報を出力する。センサ部１９が出力するセンサ情報は、制御部１８に供給される。
【００５９】
ここで、制御部１８は、センサ部１９からのセンサ情報を、画像解析部３３に供給することができる。画像解析部３３は、制御部１８を経由して供給されるセンサ情報をリアルタイムで解析し、その解析の結果に基づき、第１及び第２の画像について、イベントポイントを検出することができる。
【００６０】
例えば、画像解析部３３では、センサ部１９からのセンサ情報としての音の検知結果に基づき、第１及び第２の画像について、大きな音が発生した（開始、終了）フレーム等を、イベントポイントとして検出することができる。また、例えば、画像解析部３３では、センサ部１９からのセンサ情報としての加速度の検知結果に基づき、第１及び第２の画像について、ディジタルカメラがパンされている（開始、終了）フレーム等を、イベントポイントとして検出することができる。さらに、例えば、画像解析部３３では、センサ部１９からのセンサ情報としての時間（の経過）の検知結果に基づき、第１及び第２の画像について、所定のタイミングから等間隔の時刻（周期的なタイミング）のフレーム等を、イベントポイントとして検出することができる。
【００６１】
なお、イベントポイントは、その他、第１及び第２の画像の解析の結果と、センサ情報の解析の結果との両方に基づいて検出することができる。
【００６２】
ドライバIC２０は、制御部１８の制御に従い、光学系１１の絞りや、フォーカス、ズームを制御（駆動）する。
【００６３】
以上のように構成されるディジタルカメラでは、撮像装置１２が、光学系１１からの入射光を受光し、その入射光に応じて、第１の画像や第２の画像を出力する。
【００６４】
撮像装置１２が出力する第１の画像や第２の画像は、ディジタル信号処理部１３に供給される。
【００６５】
ディジタル信号処理部１３では、現像処理部３１が、撮像装置１２からの第１の画像に現像処理を施し、表示制御部３５に供給する。また、現像処理部３２が、撮像装置１２からの第２の画像に現像処理を施し、表示制御部３５に供給する。さらに、画像解析部３３が、撮像装置１２からの第１及び第２の画像を解析し、その解析の結果に基づいて、イベントポイントを検出する。なお、イベントポイントは、その他、センサ部１９が出力するセンサ情報からも検出することができる。
【００６６】
表示制御部３５は、現像処理部３１からの第１の画像や、現像処理部３２からの第２の画像を、表示装置１４及び１５に表示させ、これにより、表示装置１４及び１５には、第１の画像や第２の画像が、スルー画として表示される。
【００６７】
また、ディジタルカメラでは、ユーザが、入力装置１７を構成する録画ボタンを操作した場合、ディジタル信号処理部１３において、記録再生処理部３４は、例えば、録画ボタンが再度操作されるまで、撮像装置１２が出力する第１の画像や第２の画像（動画）を録画する（第１の画像や第２の画像をメモリ１６に記録する）。
【００６８】
第１及び第２の画像は、通常再生（１倍速再生）される画像として録画することもできるし、特殊再生（スロー再生、早送り再生）される画像として録画することもできる。また、第１及び第２の画像については、通常再生される画像と、特殊再生される画像との両方のストリームを録画することができる。
【００６９】
なお、以下では、説明を簡単にするため、第１及び第２の画像が、表示装置１４及び１５のうちの、表示装置１４に表示される場合に注目して、説明を行う。
【００７０】
また、図１のディジタルカメラでは、上述したように、静止画、及び、動画のいずれをも撮像することができるが、以下では、特に断らない限り、第１及び第２の画像として、動画の撮像が行われることとする。
【００７１】
＜第１及び第２の画像の例＞
【００７２】
図２は、撮像装置１２が出力する第１及び第２の画像の例を示す図である。
【００７３】
撮像装置１２は、異なるフレームレートで、同一の被写体の撮像を行うことで、フレームレートが異なり、同一被写体が映る第１及び第２の画像（のストリーム）を同時に出力することができる。
【００７４】
第１の画像のフレームレートとしては、例えば、60fps等の、あらかじめ決められたデフォルトのフレームレートを採用することができる。
【００７５】
第２の画像のフレームレートは、ユーザの指定に従って、任意のフレームレートXfpsに変更することができる。
【００７６】
なお、図２では、デフォルトのフレームレートとして、60fpsを採用するが、デフォルトのフレームレートは、60fpsに限定されるものではない。
【００７７】
また、第１の画像のフレームレートは、デフォルトのフレームレートに固定することもできるし、第２の画像フレームレートと同様に、ユーザの指定に従って変更可能なようにすることもできる。
【００７８】
図２では、第２の画像のフレームレートXの方が、デフォルトのフレームレート（第１の画像のフレームレート）よりも高速になっている。
【００７９】
ここで、撮像装置１２で、１秒あたりに撮像されるフレーム数を撮像レートともいい、表示装置１４で、１秒あたりに表示されるフレーム数を表示レートともいうこととする。
【００８０】
第１の画像や第２の画像のフレームレートとは、フレームの間引きや補間がされない限り、撮像レートを意味する。
【００８１】
また、画像を、その画像のフレームレート（撮像レート）と等しい表示レートで表示する場合には、画像は、リアルタイムで表示（リアルタイム再生）（１倍速再生）されるが、画像を、その画像のフレームレート未満の表示レートで表示する場合には、画像は、スローで表示（スロー再生）される。
【００８２】
さらに、画像を、その画像のフレームレートより大の表示レートで表示する場合には、画像は、早送りで表示（早送り再生）される。
【００８３】
以上のように、画像が、その画像のフレームレートと異なる表示レートで表示される場合には、画像の表示は、スロー再生や早送り再生といった特殊再生になる。
【００８４】
ここで、画像のフレームレートと表示レートとを同一にして行われる画像のリアルタイムでの表示を、通常再生ともいう。また、画像を、その画像のフレームレートと異なる表示レートで表示することを、特殊再生ともいう。
【００８５】
通常再生は、画像のフレームレートと表示レートとが最初から一致している場合の他、画像のフレームレートと表示レートとが最初から一致していなくても、例えば、画像のフレームの間引きや補間を行って、画像のフレームレートを表示レートに一致させることにより行うことができる。
【００８６】
また、表示装置１４の表示レートが可変である場合には、通常再生は、表示装置１４の表示レートを、画像のフレームレートに一致させることにより行うことができる。
【００８７】
なお、図１で説明したように、撮像装置１２において、第１の画像の出力は必須ではなく、フレームレートの変更可能な第２の画像の出力を行うことができれば良い。
【００８８】
また、図１のディジタルカメラでは、フレームレートが変更可能な第２の画像については、そのままのフレームレートで、メモリ１６に記録することと、例えば、デフォルトのフレームレートを表示レートとして表示した場合に、通常再生が行われるように、フレーム数の間引き又は補間を行って、メモリ１６に記録することとの両方を行うことができる。
【００８９】
そのままのフレームレートでメモリ１６に記録された第２の画像は、デフォルトのフレームレートを表示レートとして表示した場合に、特殊再生される。フレーム数の間引き又は補間を行ってメモリ１６に記録された第２の画像は、デフォルトのフレームレートを表示レートとして表示した場合に、通常再生される。
【００９０】
＜ディジタルカメラでのスルー画像の表示＞
【００９１】
図３は、図１のディジタルカメラでのスルー画の表示例を示す図である。
【００９２】
図３では、ディジタルカメラの背面に、表示パネルとしての表示装置１４が設けられ、その表示パネルとしての表示装置１４の右下側に、ダイヤル４１が設けられている。さらに、ディジタルカメラの上面の右端に、シャッタ（録画）ボタン４２が設けられている。
【００９３】
ダイヤル４１は、例えば、第２の画像のフレームレートを変更するときに回転操作される。シャッタボタン４２は、動画の録画を開始するときや終了するとき、写真としての静止画を撮影（記録）するとき等に押圧操作される。
【００９４】
ユーザが、ダイヤル４１を回転操作すると、その回転操作を、第２の画像のフレームレートを変更する変更操作として、表示装置１４に表示されている第２の画像のフレームレート（撮像レート）が変更される。
【００９５】
すなわち、変更操作としてのダイヤル４１の回転操作の回転方向及び回転量に応じて、撮像装置１２で撮像されている第２の画像のフレームレートが、例えば、1fps単位等で連続的（シームレス）に増減される。
【００９６】
図３では、撮像装置１２において、フレームレートが60fpsの第１の画像と、フレームレートが240fpsの第２の画像との撮像が行われ、その第１及び第２の画像が出力されている。
【００９７】
ディジタルカメラにおいて、第１及び第２の画像については、例えば、そのうちの一方の画像を、表示装置１４に表示する表示対象として、その表示対象を、表示装置１４の表示領域の所定の位置（図３では、表示領域の全体）に表示することができる。
【００９８】
第１及び第２の画像のうちの一方の画像を表示対象として、表示装置１４に表示する場合には、表示対象とする画像は、切り替えることができる。
【００９９】
表示対象を切り替える切り替え操作には、例えば、ダイヤル４１の押圧操作や、表示装置１４の表示領域のタップ等を割り当てることができる。
【０１００】
ユーザが、切り替え操作としての、例えば、ダイヤル４１の押圧操作や、表示装置１４の表示領域のタップを行うと、その切り替え操作が行われるごとに、表示制御部３５において、表示対象が、第１及び第２の画像のうちの、いま表示装置１４に表示されている方の画像から、他方の画像に切り替えられ、その切り替え後の表示対象が、表示装置１４の表示領域の所定の位置に表示される。
【０１０１】
いま、ある画像が表示されていた位置と同一位置に、その画像に代えて、他の画像を表示することで、画像を切り替えることをフリップ切り替えということとすると、図３では、第１及び第２の画像を対象に、フリップ切り替えが行われる。
【０１０２】
フリップ切り替えでは、第１及び第２の画像それぞれに映る同一の被写体が同一の位置に映るので、フレームレートが異なる第１及び第２の画像の画質の相違、すなわち、例えば、60fpsの第１の画像に対して、240fpfの第２の画像のS/Nの悪さがどの程度であるかを、容易に把握することができる。
【０１０３】
ここで、フリップ切り替えで、第１及び第２の画像が表示される場合には、第１の画像については、通常再生が行われ、第２の画像については、特殊再生、又は、通常再生が行われる。
【０１０４】
例えば、表示装置１４の表示レートが60fpsで固定である場合、60fpsの第１の画像は、そのまま表示装置１４に表示することで、通常再生される。
【０１０５】
また、240fpsの第２の画像を、そのまま、表示レートが60fpsの表示装置１４で表示した場合、第２の画像は、特殊再生としてのスロー再生される。
【０１０６】
さらに、240fpsの第２の画像は、フレーム数を1/4に間引いて、表示レートが60fpsの表示装置１４で表示することにより、通常再生される。
【０１０７】
240fpsの第２の画像について、特殊再生、及び、通常再生のいずれを行うかは、例えば、ユーザによる入力装置１７の操作に応じて設定することができる。
【０１０８】
なお、第１及び第２の画像については、そのうちの一方の画像を表示対象として表示する他、第１及び第２の画像の両方を表示対象として、第１及び第２の画像を重畳して表示することができる。
【０１０９】
第１及び第２の画像を重畳して表示する場合において、例えば、60fpsの第１の画像、及び、240fpsの第２の画像を、そのまま（間引きや補間を行わずに）、表示レートが60fpsの表示装置１４で表示するときには、60fpsの第１の画像は通常再生され、240fpsの第２の画像は特殊再生としてのスロー再生される。
【０１１０】
また、例えば、60fpsの第１の画像を、そのまま、表示装置１４で表示するとともに、240fpsの第２の画像を、1/4のフレーム数に間引いて、表示装置１４で表示するときには、60fpsの第１の画像、及び、間引き後の第２の画像は、いずれも、通常再生される。
【０１１１】
なお、第２の画像のフレームレートを変更する変更操作としては、ダイヤル４１の回転操作の他、例えば、任意の１回の操作を採用することができる。
【０１１２】
ここで、「１回の操作」とは、所定の操作を、他の操作を経由することなく、いわば直接的に行うことができる場合の、その所定の操作を意味する。
【０１１３】
例えば、所定の項目を選択する場合に、メニューを表示させる操作を行い、その操作によって表示されるメニューから所定の項目を選択する操作を行う必要があるときには、所定の項目を選択する操作は、「１回の操作」に該当しない。この場合、所定の項目を選択する操作を行うのに、メニューを表示させる操作を経由する必要があるからである。
【０１１４】
本実施の形態では、ダイヤル４１は、ディジタルカメラの背面に露出しており、そのダイヤル４１の回転操作を行うことで、第２の画像のフレームレートが変更されるので、ダイヤル４１の回転操作は、１回の操作に該当する。
【０１１５】
以上のように、１回の操作であるダイヤル４１の回転操作を、変更操作として採用することで、ユーザは、思い立ったときに、即座に、変更操作を行い、第２の画像のフレームレートを変更して、フレームレートの変更後の第２の画像の画質を確認することができる。
【０１１６】
なお、ダイヤル４１は、ディジタルカメラの背面に露出しているので、例えば、ユーザが、撮影を行おうとして、ディジタルカメラを構えている場合には、その構えている状態から、ディジタルカメラの持ち方をほとんど替えることなく、変更操作としてのダイヤル４１の回転操作を行うことができる。
【０１１７】
以上の点、表示対象を切り替える切り替え操作についても、同様である。
【０１１８】
すなわち、切り替え操作としては、ダイヤル４１の押圧操作や、表示装置１４の表示領域のタップの他、任意の１回の操作を採用することができる。
【０１１９】
１回の操作であるダイヤル４１の押圧操作や、表示装置１４の表示領域のタップを、切り替え操作として採用することで、ユーザは、思い立ったときに、即座に、切り替え操作を行い、表示装置１４の表示を、第１及び第２の画像のうちの一方の画像から他方の画像に即座に切り替え、第１及び第２の画像の画質の差を確認することができる。
【０１２０】
なお、図３では、変更操作に応じて、表示装置１４に表示対象として表示されている第２の画像のフレームレートを変更することとしたが、第１の画像が表示対象として表示装置１４に表示されている場合には、例えば、表示対象である第１の画像のフレームレートを変更すること、又は、表示対象を第１の画像から、第１の画像と同一のフレームレートの第２の画像に変更し、変更後の表示対象である第２の画像のフレームレートを変更することができる。
【０１２１】
図４は、図１のディジタルカメラでのスルー画の他の表示例を示す図である。
【０１２２】
なお、図中、図３の場合と対応する部分については、同一の符号を付してあり、以下では、その説明は、適宜省略する。
【０１２３】
図４では、表示装置１４において、第１及び第２の画像が、横に並べて同時に表示される。
【０１２４】
以上のように、表示装置１４において、第１及び第２の画像を並べて表示する場合には、第１及び第２の画像を同時に確認することができる。但し、表示装置１４の表示領域を２つの小領域に分割する必要があるので、第１及び第２の画像を表示するときのサイズが小になる。
【０１２５】
＜ディジタルカメラの処理の例＞
【０１２６】
図５は、図１のディジタルカメラの処理の例を説明するフローチャートである。
【０１２７】
ステップＳ１１において、ユーザが、電源をオンにするように、入力装置１７を操作するのを待って、制御部１８は、ディジタルカメラの電源をオン状態にし、処理は、ステップＳ１２に進む。
【０１２８】
ステップＳ１２では、制御部１８は、第１の画像のフレームレート（撮像レート）をデフォルトのフレームレートに設定し、そのデフォルトのフレームレートの第１の画像を出力するように、撮像装置１２を制御する。
【０１２９】
さらに、制御部１８は、第２の画像のフレームレートを設定し、そのフレームレートの第２の画像を出力するように、撮像装置１２を制御する。
【０１３０】
撮像装置１２は、制御部１８の制御に従ったフレームレートの第１及び第２の画像の出力を開始し、ディジタル信号処理部１３は、その第１及び第２の画像の処理を開始する。
【０１３１】
ここで、電源がオンにされた直後の第２の画像のフレームレートとしては、例えば、第１の画像と同様に、デフォルトのフレームレートを採用することができる。また、例えば、前回、電源がオフにされる直前の第２の画像のフレームレートを記憶しておき、そのフレームレートを、電源がオンにされた直後の第２の画像のフレームレートとして採用することができる。
【０１３２】
なお、図１で説明したように、第１の画像は、必須ではない。また、以下では、説明を簡単にするため、少なくとも、フレームレートの変更が可能な第２の画像が、表示装置１４に表示される表示対象になっていることとする。
【０１３３】
第１及び第２の画像の処理が開始されると、処理は、ステップＳ１２からステップＳ１３に進む。
【０１３４】
ステップＳ１３では、ディジタル信号処理部１３において、表示制御部３５が、第２の画像の通常再生、すなわち、第２の画像のフレームレートと表示装置１４の表示レートとを同一にして、第２の画像を、表示装置１４に表示させる表示処理を開始する。
【０１３５】
その後、処理は、ステップＳ１３からステップＳ１４に進み、制御部１８は、ユーザが、入力装置１７の操作として、画像のフレームレート（撮像レート）を変更する変更操作を行ったかどうかを判定する。
【０１３６】
ステップＳ１４において、変更操作が行われていないと判定された場合、処理は、ステップＳ１５ないしＳ１７をスキップして、ステップＳ１８に進む。
【０１３７】
また、ステップＳ１４において、変更操作が行われたと判定された場合、処理は、ステップＳ１５に進む。
【０１３８】
ステップＳ１５では、制御部１８は、第２の画像のフレームレート（撮像レート）を、変更操作に従って設定（変更）し、その変更操作に従ったフレームレートの第２の画像を出力するように、撮像装置１２を制御する。
【０１３９】
撮像装置１２は、制御部１８の制御に従って、変更操作に従ったフレームレートの第２の画像の出力を開始し、ディジタル信号処理部１３は、その第２の画像の処理を開始する。
【０１４０】
以上のように、第２の画像の処理が開始されると、処理は、ステップＳ１５からステップＳ１６に進む。
【０１４１】
ステップＳ１６では、ディジタル信号処理部１３において、表示制御部３５が、変更操作に従ったフレームレートの第２の画像の特殊再生と通常再生とを、所定の特殊再生周期で繰り返す特殊プレビュー処理を開始する。
【０１４２】
ここで、第２の画像の特殊再生では、例えば、デフォルトのフレームレートを表示レートとして、第２の画像が、そのままのフレームレート（撮像レート）で表示される。例えば、第２の画像のフレームレートが、240fpsであり、表示装置１４の表示レートとなるデフォルトのフレームレートが、第２の画像のフレームレートよりも小さい60fpsである場合には、第２の画像は、スロー再生される。
【０１４３】
第２の画像の通常再生では、例えば、デフォルトのフレームレートを表示レートとして、第２の画像のフレームレートが表示レートと同一になるように、第２の画像のフレームを間引くか補間して、第２の画像が表示される。例えば、第２の画像のフレームレートが、240fpsであり、表示装置１４の表示レートとなるデフォルトのフレームレートが、第２の画像のフレームレートよりも小さい60fpsである場合には、第２の画像は、フレーム数を1/4に間引いて表示される。
【０１４４】
ステップＳ１６での特殊プレビュー処理の開始後、処理は、ステップＳ１７に進み、制御部１８は、ユーザが、入力装置１７の操作として、ステップＳ１６で開始された特殊プレビュー処理を停止する停止操作を行ったかどうかを判定する。
【０１４５】
ステップＳ１７において、停止操作が行われたと判定された場合、特殊プレビュー処理が終了され、処理は、ステップＳ１３に戻る。したがって、この場合、再び、第２の画像の通常再生（第２の画像のフレームレートと表示装置１４の表示レートとを同一にして、第２の画像を、表示装置１４に表示させる表示処理）が開始される。
【０１４６】
一方、ステップＳ１７において、停止操作が行われていないと判定された場合、処理は、ステップＳ１８に進み、制御部１８は、ユーザが、入力装置１７の操作として、ディジタルカメラでの撮影を終了する撮影終了操作を行ったかどうかを判定する。
【０１４７】
ステップＳ１８において、撮影終了操作が行われていないと判定された場合、処理は、ステップＳ１４に戻り、以下、同様の処理が繰り返される。
【０１４８】
また、ステップＳ１８において、撮影終了操作が行われたと判定された場合、処理は、ステップＳ１９に進む。
【０１４９】
ステップＳ１９では、制御部１８は、ディジタルカメラの電源をオフ状態にし、処理を終了する。
【０１５０】
以上のように、図５のフローチャートに従った処理によれば、第２の画像のフレームレートの変更操作が行われると、特殊プレビュー処理が開始され、第２の画像の特殊再生と通常再生とが、所定の特殊再生周期で繰り返される。
【０１５１】
すなわち、変更後のフレームレートの第２の画像の特殊再生としての、例えば、スロー再生が、周期的に繰り返される。
【０１５２】
したがって、第２の画像のフレームレートが変更されると、そのフレームレートの変更のタイミングを、特殊再生を確認するプレビューの表示の開始タイミングとして、第２の画像の特殊再生としてのスロー再生が、即座に開始される。
【０１５３】
そして、その後は、第２の画像の特殊再生としてのスロー再生が、周期的に繰り返される。
【０１５４】
その結果、ユーザは、変更操作により変更されたフレームレートの第２の画像が、所望するスローモーション画像であるかどうかを、変更操作の直後に確認し、所望するスローモーション画像となる第２の画像のフレームレートを、より迅速に決定することができる。
【０１５５】
以上のように、特殊再生を確認するプレビューの表示の開始タイミングを、フレームレートの変更のタイミング等の適切なタイミングとすることにより、ユーザが所望するスローモーション画像となる第２の画像のフレームレートを、より迅速に決定することができる。
【０１５６】
ここで、表示制御部３５は、第２の画像のフレームレートの変更の他、所定の状況変化に応じて、フレームレートの変更が可能な第２の画像の特殊再生を開始することができる。
【０１５７】
様々な状況変化の中で、表示制御部３５が第２の画像の特殊再生を開始するトリガとなる所定の状況変化を、以下、適宜、開始イベントともいう。第２の画像のフレームレートの変更は、開始イベントの一種である。
【０１５８】
＜特殊プレビュー処理での第２の画像の撮像及び表示＞
【０１５９】
図６は、特殊プレビュー処理での第２の画像の撮像及び表示のタイミングの第１の例を説明するタイミングチャートである。
【０１６０】
ここで、以下では、説明を簡単にするため、例えば、第２の画像のフレームレートは、表示レートよりも大であり、したがって、第２の画像の特殊再生としては、スロー再生が行われることとする。
【０１６１】
特殊プレビュー処理では、第２の画像の特殊再生が、周期的に繰り返されることで、その特殊再生される第２の画像を確認するプレビューの表示が、一定間隔で行われる。
【０１６２】
いま、１回の特殊再生が行われる期間を、特殊再生期間TSといい、特殊プレビュー処理において、その特殊再生期間TSの特殊再生が周期的に行われる周期を、特殊再生周期TCということとする。特殊再生周期TCには、特殊再生期間TS以上の時間が設定される。
【０１６３】
特殊プレビュー処理では、１周期の特殊再生周期TCの、特殊再生期間TS以外の期間が、通常再生期間TNに設定され、通常再生期間TNでは、第２の画像の通常再生が行われる。
【０１６４】
ここで、特殊再生期間TSでの特殊再生の対象となる第２の画像の期間を、対象期間TTということとする。
【０１６５】
第２の画像のフレームレートが、表示レートよりも大である場合、対象期間TTは、特殊再生期間TSよりも小になる。例えば、第２の画像のフレームレートが240fpsであり、表示レートが60fpsである場合には、対象期間TTは、特殊再生期間TSの1/4=60/240の時間になる。
【０１６６】
表示制御部３５は、対象期間TTや、特殊再生期間TS、特殊再生周期TCを、例えば、ユーザによる入力装置１７の操作に応じて設定することができる。ここで、特殊再生周期TCは、特殊再生期間TSと通常再生期間TNとの和であるので、特殊再生周期TCの設定は、特殊再生周期TC自体を設定することの他、特殊再生期間TS及び通常再生期間TNを設定することによっても行うことができる。
【０１６７】
なお、対象期間TT、及び、特殊再生期間TSについては、それらの対象期間TT、及び、特殊再生期間TSのうちの一方が決まれば、他方も、第２の画像のフレームレート及び表示レートに応じて決まる。
【０１６８】
いま、第２の画像フレームレートXと表示レートYとの比の値を、R=X/Yと表すこととする。
【０１６９】
特殊再生期間TSが設定された場合、対象期間TTは、特殊再生期間TSの1/R倍になる。例えば、特殊再生期間TSが4秒に設定された場合、対象期間TTは、4/R秒になる。
【０１７０】
また、対象期間TTが設定された場合、特殊再生期間TSは、対象期間TTのR倍になる。例えば、対象期間TTが1秒に設定された場合、特殊再生期間TSはR秒になる。より、具体的には、例えば、表示レートが60fpsであるとすると、対象期間TTが1秒に設定された場合、第２の画像のフレームレートが、240fps又は120fpsであるときには、特殊再生期間TSは、それぞれ4=240/60秒又は2=120/60秒になる。
【０１７１】
以下では、例えば、特殊再生周期TC及び対象期間TTが、ユーザの操作に応じて設定されていることとする。さらに、対象期間TTに応じて、特殊再生期間TS(=<TC)が決定され、特殊再生周期TCの特殊再生期間TS以外の期間（特殊再生周期TCの先頭から、特殊再生期間TSが経過した後の残りの期間）が、通常再生期間TNに決定されていることとする。
【０１７２】
この場合、ユーザの操作に応じて設定される対象期間TTは、一定の期間になるが、その対象期間TTに応じて決定される特殊再生機関TS、さらには、通常再生期間TNは、第２の画像のフレームレートによって変化する可変の期間になる。
【０１７３】
図６では、時刻t=t0において、ユーザが変更操作を行い、第２の画像のフレームレートが240fpsに変更（設定）されている。
【０１７４】
時刻t=t0では、第２の画像のフレームレートが240fpsに変更されたことに応じて、その240fpsのフレームレートの第２の画像の特殊再生（以下、240fps特殊再生ともいう）としてのスロー再生が開始されている。
【０１７５】
時刻t=t0から対象期間TTだけ経過した時刻は、時刻t=t1であり、時刻t=t0ないしt1の間に撮像された、フレームレートが240fpsの第２の画像が、時刻t=t0からの240fps特殊再生の対象となる。
【０１７６】
時刻t=t0から特殊再生期間TSだけ経過した時刻は、時刻t=t2であり、時刻t=t2において、時刻t=t0から開始された240fps特殊再生としてのスロー再生が終了する。その後は、通常再生期間TNとなる。
【０１７７】
時刻t=t2からの通常再生期間TNでは、その通常再生期間TNに撮像された、フレームレートが240fpsの第２の画像の通常再生（以下、240fps通常再生ともいう）が行われる。
【０１７８】
ここで、例えば、図４に示したように、表示装置１４において、第１及び第２の画像が、横に並べて同時に表示される場合には、特殊再生期間TSでは、第１の画像がリアルタイムで表示されるとともに、第２の画像が、スローで表示される。そして、通常再生期間TNでは、第１及び第２の画像がリアルタイムで表示され、第１及び第２の画像として、同一のシーンが表示される。
【０１７９】
直前の240fps特殊再生が開始された時刻t=t0から、特殊再生周期TCが経過した時刻t=t3になると、時刻t=t2から開始された240fps通常再生が終了する。
【０１８０】
時刻t=t3は、新たな特殊再生周期TCの開始時刻であり、時刻t=t3から対象期間TTに撮像された第２の画像の240fps特殊再生としてのスロー再生が開始される。
【０１８１】
以下、同様に、フレームレートが240fpsに変更された第２の画像の240fps特殊再生と240fps特殊再生とが、例えば、第２の画像のフレームレートの変更が再度行われるまで、特殊再生周期TCで繰り返される。
【０１８２】
以上のように、第２の画像のフレームレートの変更後、即座に、その変更後のフレームレートで撮像された第２の画像の特殊再生が周期的に行われる。したがって、ユーザは、フレームレートが240fpsの第２の画像が、ユーザが所望するスローモーション画像となっているかどうかを、容易にイメージすることができ、第２の画像のフレームレートを、迅速に決定することができる。
【０１８３】
また、図６では、第２の画像の特殊再生と通常再生とが交互に行われるので、通常再生が行われている第２の画像とを比較しながら、特殊再生としてのスロー再生が行われている第２の画像を確認することができる。
【０１８４】
なお、上述したように、特殊再生周期TCには、特殊再生期間TS以上の時間が設定されるので、特殊再生周期TCと、特殊再生期間TSとは、同一の時間に設定することができる。特殊再生周期TCと、特殊再生期間TSとが、同一の時間である場合、通常再生期間TNは0になり、通常再生は行われない。
【０１８５】
通常再生期間TNが0である場合、通常再生が行われている第２の画像の確認は、第２の画像のフレームレートを、表示レートに一致するように変更することや、第１の画像のスルー画の表示を見ることによって、実質的に行うことができる。
【０１８６】
また、特殊再生周期TCや、特殊再生期間TS又は対象期間TTは、任意のタイミングで変更することができる。特殊再生周期TCや、特殊再生期間TS又は対象期間TTが変更された場合、即座に、変更後の特殊再生周期TCや、特殊再生期間TS又は対象期間TTが反映された特殊プレビュー処理を開始することができる。
【０１８７】
さらに、図５で説明したように、停止操作が行われ、特殊プレビュー処理が終了された場合（ステップＳ１７）、ユーザは、入力装置１７を操作することにより、特殊プレビュー処理を再開させることができる。
【０１８８】
図７は、特殊プレビュー処理での第２の画像の撮像及び表示のタイミングの第２の例を説明するタイミングチャートである。
【０１８９】
図７では、時刻t=t0において、ユーザが変更操作を行い、第２の画像のフレームレートが240fpsに変更され、そのフレームレートの変更に応じて、240fpsのフレームレートの第２の画像の240fps特殊再生としてのスロー再生が開始されている。
【０１９０】
時刻t=t0から開始された240fps特殊再生は、特殊再生期間TSが経過するまで行われ、時刻t=t0から特殊再生期間TSが経過した時刻t=t1で終了する。
【０１９１】
時刻t1からは、通常再生期間TNとなり、時刻t=t1からの通常再生期間TNでは、その通常再生期間TNに撮像された、フレームレートが240fpsの第２の画像の240fps通常再生が行われる。
【０１９２】
図７では、時刻t=t1から通常再生期間TNが経過する前の時刻t=t2において、ユーザが変更操作を行い、第２の画像のフレームレートが240fpsから960fpsに変更されている。
【０１９３】
時刻t=t2では、第２の画像のフレームレートが960fpsに変更されたことに応じて、それまで行われていた240fps通常再生が終了される。さらに、フレームレートの変更が行われた時刻t=t2を、特殊プレビュー処理の新たな開始時刻として、フレームレートが960fpsに変更された第２の画像の960fps特殊再生としてのスロー再生が開始されている。
【０１９４】
図７では、時刻t=t2から特殊再生期間TSが経過する前の時刻t=t3において、ユーザが変更操作を行い、第２の画像のフレームレートが960fpsから120fpsに変更されている。
【０１９５】
時刻t=t3では、第２の画像のフレームレートが120fpsに変更されたことに応じて、それまで行われていた960fps特殊再生が終了される。さらに、フレームレートの変更が行われた時刻t=t3を、特殊プレビュー処理の新たな開始時刻として、フレームレートが120fpsに変更された第２の画像の120fps特殊再生としてのスロー再生が開始されている。
【０１９６】
時刻t=t3から特殊再生期間TSだけ経過した時刻は、時刻t=t4であり、時刻t=t4において、時刻t=t3から開始された120fps特殊再生としてのスロー再生が終了し、その後は、通常再生期間TNとなる。
【０１９７】
時刻t=t4からの通常再生期間TNでは、その通常再生期間TNに撮像された、フレームレートが120fpsの第２の画像の120fps通常再生が行われる。
【０１９８】
直前の120fps特殊再生が開始された時刻t=t3から、特殊再生周期TCが経過した時刻t=t5になると、時刻t=t4から開始された120fps通常再生が終了する。
【０１９９】
時刻t=t5は、新たな特殊再生周期TCの開始時刻であり、時刻t=t5から対象期間TTに撮像された第２の画像の120fps特殊再生としてのスロー再生が開始される。
【０２００】
その後、図７では、フレームレートが120fpsの第２の画像の120fps特殊再生が、特殊再生期間TSを経過する時刻t=t6まで行われ、時刻t=t6からは、フレームレートが120fpsの第２の画像の120fps通常再生が、通常再生期間TNを経過する時刻t=t7まで行われている。
【０２０１】
時刻t=t7は、新たな特殊再生周期TCの開始時刻であり、時刻t=t7から対象期間TTに撮像された第２の画像の120fps特殊再生としてのスロー再生が開始される。
【０２０２】
その後、図７では、フレームレートが120fpsの第２の画像の120fps特殊再生が、特殊再生期間TSを経過する時刻t=t8まで行われ、時刻t=t8からは、フレームレートが120fpsの第２の画像の120fps通常再生が開始されている。
【０２０３】
そして、図７では、時刻t=t8から通常再生期間TNが経過する前の時刻t=t9において、ユーザが変更操作を行い、第２の画像のフレームレートが120fpsから360fpsに変更されている。
【０２０４】
時刻t=t9では、第２の画像のフレームレートが360fpsに変更されたことに応じて、それまで行われていた120fps通常再生が終了される。さらに、フレームレートの変更が行われた時刻t=t9を、特殊プレビュー処理の新たな開始時刻として、フレームレートが360fpsに変更された第２の画像の360fps特殊再生としてのスロー再生が開始されている。
【０２０５】
その後、図７では、フレームレートが360fpsの第２の画像の360fps特殊再生が、特殊再生期間TSを経過する時刻t=t10まで行われ、時刻t=t10からは、フレームレートが360fpsの第２の画像の360fps通常再生が開始されている。
【０２０６】
以下、同様に、フレームレートが360fpsの第２の画像の360fps特殊再生と360fps特殊再生とが、例えば、第２の画像のフレームレートの変更が行われるまで、特殊再生周期TCで繰り返される。
【０２０７】
図７では、第２の画像のフレームレートが変更された場合、フレームレートが変更されたタイミングを、特殊プレビュー処理の新たな開始時刻として、即座に、変更後のフレームレートの第２の画像について、特殊プレビュー処理を開始することとした。
【０２０８】
しかしながら、第２の画像のフレームレートが変更された場合には、その変更時に行われている、フレームレートの変更前の第２の画像についての特殊プレビュー処理の特殊再生周期TCが終了してから、変更後のフレームレートの第２の画像について、特殊プレビュー処理を開始することができる。
【０２０９】
図８は、特殊プレビュー処理での第２の画像の撮像及び表示のタイミングの第３の例を説明するタイミングチャートである。
【０２１０】
図８では、第２の画像のフレームレートが変更された場合、その変更時に行われている、フレームレートの変更前の第２の画像についての特殊プレビュー処理の特殊再生周期TCが終了してから、変更後のフレームレートの第２の画像について、特殊プレビュー処理が開始される。
【０２１１】
すなわち、図８では、時刻t=t0において、ユーザが変更操作を行い、第２の画像のフレームレートが240fpsに変更され、そのフレームレートの変更に応じて、240fpsのフレームレートの第２の画像の240fps特殊再生としてのスロー再生が開始されている。
【０２１２】
時刻t=t0から開始された240fps特殊再生は、特殊再生期間TSが経過するまで行われ、時刻t=t0から特殊再生期間TSが経過した時刻t=t1で終了する。
【０２１３】
時刻t1からは、通常再生期間TNとなり、時刻t=t1からの通常再生期間TNでは、その通常再生期間TNに撮像された、フレームレートが240fpsの第２の画像の240fps通常再生が行われる。
【０２１４】
図８では、時刻t=t1から通常再生期間TNが経過する前の時刻t=t2において、ユーザが変更操作を行い、第２の画像のフレームレートが240fpsから960fpsに変更されている。
【０２１５】
ここで、図７では、第２の画像のフレームレートが変更された場合、即座に、即座に、変更後のフレームレートの第２の画像について、特殊プレビュー処理の特殊再生が開始される。
【０２１６】
一方、図８では、第２の画像のフレームレートが変更された場合、そのとき行われている第２の画像についての特殊プレビュー処理の特殊再生周期TCが終了してから、変更後のフレームレートの第２の画像について、特殊プレビュー処理が開始される。
【０２１７】
すなわち、図８では、時刻t=t1から通常再生期間TNが経過する前の時刻t=t2において、第２の画像のフレームレートが240fpsから960fpsに変更されているが、時刻t=t1からの通常再生期間TN（を含む特殊再生周期TC）が終了するまで、変更前のフレームレートである240fpsの第２の画像の240fps通常再生が続行される。
【０２１８】
時刻t=t1からの通常再生期間TNが終了する時刻t=t3では、変更前のフレームレートである240fpsの第２の画像の240fps通常再生が終了する。
【０２１９】
時刻t=t1からの通常再生期間TNが終了する時刻t=t3は、時刻t=t2での第２の画像のフレームレートの変更時に行われていた第２の画像についての特殊プレビュー処理の特殊再生周期TCが終了する時刻でもある。
【０２２０】
そのため、図８では、その時刻t=t3を、時刻t=t2でのフレームレートの変更後の第２の画像についての特殊プレビュー処理の新たな開始時刻として、フレームレートが960fpsに変更された第２の画像の960fps特殊再生としてのスロー再生が開始される。
【０２２１】
そして、フレームレートが960fpsの第２の画像の960fps特殊再生が、特殊再生期間TSを経過する時刻t=t4まで行われ、時刻t=t4からは、フレームレートが960fpsの第２の画像の960fps通常再生が開始される。
【０２２２】
なお、図７に示したように、フレームレートが変更された時刻を、特殊プレビュー処理の新たな開始時刻として、即座に、変更後のフレームレートの第２の画像について、特殊プレビュー処理を開始するか、又は、図８に示したように、フレームレートの変更時に行われている、フレームレートの変更前の第２の画像についての特殊プレビュー処理の特殊再生周期TCが終了してから、変更後のフレームレートの第２の画像について、特殊プレビュー処理を開始するかは、例えば、ユーザによる入力装置１７の操作に応じて設定することができる。
【０２２３】
＜ディジタルカメラの処理の他の例＞
【０２２４】
図９は、図１のディジタルカメラの処理の他の例を説明するフローチャートである。
【０２２５】
ここで、図９では、ディジタルカメラの動作モードとして、イベントモード及び等間隔モードがあり、動作モードは、例えば、ユーザによる入力装置１７の操作に応じて、イベントモード、又は、等間隔モードに設定することができる。
【０２２６】
イベントモードでは、開始イベントである所定の状況変化が発生した場合にのみ、第２の画像の特殊再生が、特殊再生期間TSだけ行われ、その後は、通常再生に戻る。
【０２２７】
等間隔モードでは、例えば、ディジタルカメラの電源がオンにされたことや、第２の画像のフレームレートの変更等をトリガとして、第２の画像の特殊再生が等間隔で（周期的に）行われる。すなわち、等間隔モードでは、例えば、ディジタルカメラの電源がオンにされたことや、第２の画像のフレームレートの変更等をトリガとして、例えば、第２の画像について、特殊プレビュー処理が開始される。
【０２２８】
さらに、等間隔モードでは、イベントモードと同様に、開始イベントである所定の状況変化が発生した場合に、第２の画像の特殊再生が、特殊再生期間TSだけ行われる。
【０２２９】
ここで、開始イベントとしては、第２の画像のフレームレートの変更の他、様々な状況変化を採用することができる。
【０２３０】
すなわち、開始イベントとしては、例えば、第２の画像から検出される所定の状況変化や、第２の画像の撮像時にセンサ部１９で行われるセンシングにより得られるセンサ情報から検出される所定の状況変化等を採用することができる。
【０２３１】
図１で説明したように、ディジタルカメラでは、様々なイベントが発生したフレームを表すイベントポイントを検出し、そのイベントポイントには、イベントの内容を表すタグを付すことができる。
【０２３２】
したがって、第２の画像やセンサ情報から得られるイベントポイント及びタグによれば、様々な状況変化としてのイベントが発生（又は終了）したタイミングや、そのイベントの内容を認識することができる。
【０２３３】
そこで、表示制御部３５では、第２の画像やセンサ情報から得られるイベントポイント及びタグから認識されるイベント（の内容）から、開始イベントが発生しているかどうかを判定し、開始イベントの発生に応じて、特殊再生期間TSだけの第２の画像の特殊再生を行うことができる。
【０２３４】
開始イベントの発生の判定の対象としては、第２の画像から得られるイベントだけや、センサ情報から得られるイベントだけを採用することができる。
【０２３５】
また、開始イベントの発生の判定の対象としては、第２の画像から得られるイベントと、センサ情報から得られるイベントとの両方を採用することができる。
【０２３６】
さらに、第２の画像及びセンサ情報の両方から、現在発生しているイベントを解析し、そのイベントを、開始イベントの発生の判定の対象とすることができる。
【０２３７】
また、開始イベントの発生の判定では、例えば、第２の画像やセンサ情報から得られるイベントが発生している程度（確率）を、イベント発生値として数値化し、そのイベント発生値を閾値処理することにより、開始イベントが発生しているかどうかを判定することができる。
【０２３８】
さらに、開始イベントとするイベント（所定の状況変化）は、ユーザによる入力装置１７の操作に応じて設定することができる。
【０２３９】
開始イベントとするイベントの設定では、任意の抽象度の表現で、開始イベントとするイベントを設定することができる。
【０２４０】
すなわち、例えば、シーンチェンジのような、いわば抽象度の低い表現で、開始イベントとするイベントを設定することができる。また、例えば、顔が笑っている、物が動いている、風船が割れた、等のような、抽象度の高い表現で、開始イベントとするイベントを設定することができる。
【０２４１】
なお、開始イベントとするイベントの設定を、どの程度の抽象度の表現で行うかは、例えば、ユーザによる入力装置１７の操作に応じて設定することができる。
【０２４２】
開始イベントとするイベントは、例えば、ユーザが自然言語で入力することができる。この場合、ディジタルカメラでは、ユーザが入力した自然言語が解析され、開始イベントとするイベントが認識される。
【０２４３】
また、開始イベントとするイベントについては、例えば、様々なイベントを表すイベント名のサンプルを、ディジタルカメラにあらかじめ登録しておき、そのサンプルの中から、ユーザが、開始イベントとするイベントを選択することができる。
【０２４４】
ここで、開始イベントのうちの、第２の画像のフレームレートの変更以外の開始イベント、すなわち、例えば、第２の画像やセンサ情報から検出される所定の状況変化を、特定開始イベントともいう。
【０２４５】
イベントモードでは、特定開始イベントが発生した場合に、第２の画像の特殊再生が、特殊再生期間TSだけ行われ、特定開始イベント以外の開始イベント、すなわち、第２の画像のフレームレートの変更が行われても、第２の画像の特殊再生は行われない。
【０２４６】
一方、等間隔モードでは、特定開始イベントが発生した場合、及び、特定開始イベント以外の開始イベントである第２の画像のフレームレートの変更が行われた場合のいずれの場合も、第２の画像の特殊再生が行われる。
【０２４７】
以下、図９を参照して、図１のディジタルカメラの処理の他の例を説明する。
【０２４８】
ステップＳ３１及びＳ３２では、図５のステップＳ１１及びＳ１２とそれぞれ同様の処理が行われる。
【０２４９】
すなわち、ステップＳ３１において、ユーザが、電源をオンにするように、入力装置１７を操作するのを待って、制御部１８は、ディジタルカメラの電源をオン状態にし、処理は、ステップＳ３２に進む。
【０２５０】
ステップＳ３２では、制御部１８は、第１の画像のフレームレートをデフォルトのフレームレートに設定し、そのデフォルトのフレームレートの第１の画像を出力するように、撮像装置１２を制御する。
【０２５１】
さらに、制御部１８は、第２の画像のフレームレートを設定し、そのフレームレートの第２の画像を出力するように、撮像装置１２を制御する。
【０２５２】
撮像装置１２は、制御部１８の制御に従ったフレームレートの第１及び第２の画像の出力を開始し、ディジタル信号処理部１３は、その第１及び第２の画像の処理を開始する。
【０２５３】
第１及び第２の画像の処理が開始されると、処理は、ステップＳ３２からステップＳ３３に進む。
【０２５４】
ステップＳ３３では、表示制御部３５は、動作モードがイベントモード及び等間隔モードのうちのいずれに設定されているかを判定する。
【０２５５】
ステップＳ３３において、動作モードがイベントモードに設定されていると判定された場合、処理は、ステップＳ３４に進み、図１のディジタルカメラは、後述するイベントモード処理を行って、処理は、ステップＳ３６に進む。
【０２５６】
また、ステップＳ３３において、動作モードが等間隔モードに設定されていると判定された場合、処理は、ステップＳ３５に進み、図１のディジタルカメラは、後述する等間隔モード処理を行って、処理は、ステップＳ３６に進む。
【０２５７】
ステップＳ３６では、制御部１８は、ディジタルカメラの電源をオフ状態にし、処理を終了する。
【０２５８】
図１０は、図９のステップＳ３４で行われるイベントモード処理の例を説明するフローチャートである。
【０２５９】
ここで、イベントモード及び等間隔モードのいずれの動作モードであっても、変更操作によって、第２の画像のフレームレートを変更することができる。但し、図９で説明したように、イベントモードでは、第２の画像のフレームレートが変更されても、その変更に応じて、第２の画像の特殊再生は行われない。
【０２６０】
イベントモード処理では、ステップＳ４１において、表示制御部３５が、第２の画像の通常再生、すなわち、第２の画像のフレームレートと表示装置１４の表示レートとを同一にして、第２の画像を、表示装置１４に表示させる表示処理を開始する。
【０２６１】
その後、処理は、ステップＳ４１からステップＳ４２に進み、制御部１８は、ユーザが、入力装置１７の操作として、ディジタルカメラでの撮影を終了する撮影終了操作を行ったかどうかを判定する。
【０２６２】
ステップＳ４２において、撮影終了操作が行われたと判定された場合、イベントモード処理は終了され、処理はリターンする。
【０２６３】
また、ステップＳ４２において、撮影終了操作が行われていないと判定された場合、処理は、ステップＳ４３に進み、表示制御部３５は、特定開始イベントが発生したかどうかを判定する。
【０２６４】
ステップＳ４３において、特定開始イベントが発生していないと判定された場合、処理は、ステップＳ４２に戻り、以下、同様の処理が繰り返される。
【０２６５】
また、ステップＳ４３において、特定開始イベントが発生したと判定された場合、処理は、ステップＳ４４に進み、表示制御部３５は、第２の画像の、特殊再生期間TSの特殊再生としてのスロー再生を開始し、処理は、ステップＳ４５に進む。
【０２６６】
ステップＳ４５では、表示制御部３５は、ステップＳ４４で開始された第２の画像の、特殊再生期間TSの特殊再生が終了したかどうかを判定する。
【０２６７】
ステップＳ４５において、第２の画像の、特殊再生期間TSの特殊再生が終了していないと判定された場合、処理は、ステップＳ４５に戻る。
【０２６８】
また、ステップＳ４５において、第２の画像の、特殊再生期間TSの特殊再生が終了したと判定された場合、処理は、ステップＳ４１に戻り、表示制御部３５は、上述したように、第２の画像の通常再生を開始し、以下、同様の処理が繰り返される。
【０２６９】
以上のように、イベントモード（処理）では、特定開始イベントが発生した場合にのみ、第２の画像の特殊再生が、特殊再生期間TSだけ行われ、その後は、通常再生に戻る。
【０２７０】
図１１は、図９のステップＳ３５で行われる等間隔モード処理の例を説明するフローチャートである。
【０２７１】
等間隔モード処理では、ステップＳ５１及びＳ５２において、図１０のステップＳ４１及びＳ４２とそれぞれ同様の処理が行われる。
【０２７２】
すなわち、ステップＳ５１において、表示制御部３５が、第２の画像の通常再生を開始し、処理は、ステップＳ５２に進む。
【０２７３】
ステップＳ５２では、制御部１８は、ユーザが、入力装置１７の操作として、ディジタルカメラでの撮影を終了する撮影終了操作を行ったかどうかを判定する。
【０２７４】
ステップＳ５２において、撮影終了操作が行われたと判定された場合、等間隔モード処理は終了され、処理はリターンする。
【０２７５】
また、ステップＳ５２において、撮影終了操作が行われていないと判定された場合、処理は、ステップＳ５３に進み、制御部１８は、ユーザが、入力装置１７の操作として、画像のフレームレート（撮像レート）を変更する変更操作を行ったかどうかを判定する。
【０２７６】
ステップＳ５３において、変更操作が行われていないと判定された場合、処理は、ステップＳ５４及びＳ５５をスキップして、ステップＳ５６に進む。
【０２７７】
また、ステップＳ５３において、変更操作が行われたと判定された場合、処理は、ステップＳ５４に進む。
【０２７８】
ステップＳ５４では、制御部１８は、第２の画像のフレームレートを、変更操作に従って設定（変更）し、その変更操作に従ったフレームレートの第２の画像を出力するように、撮像装置１２を制御する。
【０２７９】
撮像装置１２は、制御部１８の制御に従って、変更操作に従ったフレームレートの第２の画像の出力を開始し、ディジタル信号処理部１３は、その第２の画像の処理を開始する。
【０２８０】
以上のように、第２の画像の処理が開始されると、処理は、ステップＳ５４からステップＳ５５に進む。
【０２８１】
ステップＳ５５では、ディジタル信号処理部１３において、表示制御部３５が、変更操作に従ったフレームレートの第２の画像の特殊再生と通常再生とを、所定の特殊再生周期で繰り返す特殊プレビュー処理を開始し、処理は、ステップＳ５６に進む。
【０２８２】
ステップＳ５６では、表示制御部３５は、特定開始イベントが発生したかどうかを判定する。
【０２８３】
ステップＳ５６において、特定開始イベントが発生していないと判定された場合、処理は、ステップＳ５２に戻り、以下、同様の処理が繰り返される。
【０２８４】
また、ステップＳ５６において、特定開始イベントが発生したと判定された場合、処理は、ステップＳ５７に進む。
【０２８５】
ステップＳ５７では、表示制御部３５は、第２の画像の特殊プレビュー処理が行われている場合には、その特殊プレビュー処理を中断し、第２の画像の、特殊再生期間TSの特殊再生としてのスロー再生を開始して、処理は、ステップＳ５８に進む。
【０２８６】
ステップＳ５８では、表示制御部３５は、ステップＳ５７で開始された第２の画像の、特殊再生期間TSの特殊再生が終了したかどうかを判定する。
【０２８７】
ステップＳ５８において、第２の画像の、特殊再生期間TSの特殊再生が終了していないと判定された場合、処理は、ステップＳ５８に戻る。
【０２８８】
また、ステップＳ５８において、第２の画像の、特殊再生期間TSの特殊再生が終了したと判定された場合、処理は、ステップＳ５９に進み、表示制御部３５は、中断した特殊プレビュー処理があるかどうかを判定する。
【０２８９】
ステップＳ５９において、中断した特殊プレビュー処理がないと判定された場合、処理は、ステップＳ５１に戻り、表示制御部３５は、上述したように、第２の画像の通常再生を開始し、以下、同様の処理が繰り返される。
【０２９０】
また、ステップＳ６０において、中断した特殊プレビュー処理があると判定された場合、すなわち、直前のステップＳ５７での第２の画像の特殊再生の開始時に、特殊プレビュー処理が中断されている場合、処理は、ステップＳ６０に進む。
【０２９１】
ステップＳ６０では、表示制御部３５は、中断した特殊プレビュー処理を再開し、処理は、ステップＳ５２に戻り、以下、同様の処理が繰り返される。
【０２９２】
以上のように、等間隔モード（処理）では、第２のフレームレートが変更された場合、第２の画像の特殊再生と通常再生とを繰り返す特殊プレビュー処理が行われる。さらに、等間隔モードでは、特定開始イベントが発生した場合、第２の画像の特殊再生が、特殊再生期間TSだけ行われ、その後は、通常再生、又は、特殊プレビュー処理に戻る。
【０２９３】
なお、特定開始イベントとして、第２の画像やセンサ情報から検出されるイベント（所定の状況変化）を採用する場合には、ディジタルカメラにおいて、特殊再生期間TSは、ユーザの操作等に応じて設定する他、第２の画像やセンサ情報から検出されるイベントに応じて、ユーザが望むであろう期間等に設定することができる。
【０２９４】
例えば、人が動いているシーンが、開始イベントとして設定されている場合、人が動いているシーンの先頭のフレームから最後のフレームまでの期間を、特殊再生期間TSに設定することができる。
【０２９５】
また、特定開始イベントとして、第２の画像やセンサ情報から検出されるイベントを採用する場合には、ディジタルカメラにおいて、特殊再生の開始タイミングは、特定開始イベントが発生したタイミングとする他、第２の画像やセンサ情報から検出されるイベントに応じて、ユーザが望であろうタイミング等に設定することができる。
【０２９６】
例えば、人が動いているシーンが、開始イベントとして設定されている場合、人が動いているシーンの中で、人が所定の速さ以上で動いているシーンの先頭のタイミングを、特殊再生の開始タイミングに設定することができる。
【０２９７】
また、特定開始イベントとしては、第２の画像やセンサ情報から検出されるイベントの他、例えば、入力装置１７の所定操作が行われたこと等を採用することができる。
【０２９８】
＜イベントモード処理での第２の画像の撮像及び表示＞
【０２９９】
図１２は、イベントモード処理での第２の画像の撮像及び表示のタイミングの第１の例を説明するタイミングチャートである。
【０３００】
図１２では、時刻t=t0において、ユーザが変更操作を行い、第２の画像のフレームレートが240fpsに変更されている。
【０３０１】
イベントモード処理では、第２の画像のフレームレートの変更によっては、第２の画像の特殊再生は開始されず、通常再生が行われる。
【０３０２】
図１２では、第２の画像のフレームレートが240fpsに変更された後の時刻t=t1において、特定開始イベントとしてのイベントi1が発生している。
【０３０３】
時刻t=t1では、特定開始イベントとしてのイベントi1の発生に応じて、240fpsのフレームレートの第２の画像の240fps特殊再生としてのスロー再生が開始される。
【０３０４】
時刻t=t1から開始された第２の画像の240fps特殊再生は、特殊再生期間TSだけ行われ、その特殊再生期間TSが経過した時刻t=t2で終了する。
【０３０５】
時刻t=t2からは、フレームレートが240fpsの第２の画像の240fps通常再生が行われる。
【０３０６】
図１２では、その後の時刻t=t3において、特定開始イベントとしてのイベントi2が発生している。
【０３０７】
時刻t=t3では、特定開始イベントとしてのイベントi2の発生に応じて、240fpsのフレームレートの第２の画像の240fps特殊再生としてのスロー再生が開始される。
【０３０８】
時刻t=t3から開始された第２の画像の240fps特殊再生は、特殊再生期間TSだけ行われ、その特殊再生期間TSが経過した時刻t=t4で終了する。
【０３０９】
時刻t=t4からは、フレームレートが240fpsの第２の画像の240fps通常再生が行われる。
【０３１０】
以上のように、特定開始イベントの発生に応じて、第２の画像の特殊再生としてのスロー再生が、特殊再生期間TSだけ行われる場合には、ユーザは、特定開始イベントが発生するシーンを対象に、所望するスローモーション画像となっているかどうかを確認し、第２の画像のフレームレートを、迅速に決定することができる。
【０３１１】
なお、イベントモードでは、特定開始イベントの発生に応じて、第２の画像の、特殊再生期間の特殊再生が行われた後は、ディジタルカメラの電源がオフされることや、他の特定開始イベントの発生等がない限り、第２の画像の通常再生が行われる。さらに、イベントモードでは、特殊プレビュー処理のように、特殊再生や通常再生が周期的に行われない。そのため、通常債性周期TNや、特殊再生周期TCの設定は、不要である。
【０３１２】
図１３は、イベントモード処理での第２の画像の撮像及び表示のタイミングの第２の例を説明するタイミングチャートである。
【０３１３】
図１３では、時刻t=t0において、ユーザが変更操作を行い、第２の画像のフレームレートが240fpsに変更されている。
【０３１４】
イベントモード処理では、第２の画像のフレームレートの変更によっては、第２の画像の特殊再生は開始されず、通常再生が行われる。
【０３１５】
図１３では、第２の画像のフレームレートが240fpsに変更された後の時刻t=t1において、特定開始イベントとしてのイベントi1が発生している。
【０３１６】
時刻t=t1では、特定開始イベントとしてのイベントi1の発生に応じて、240fpsのフレームレートの第２の画像の240fps特殊再生としてのスロー再生が開始される。
【０３１７】
時刻t=t1から開始された第２の画像の240fps特殊再生は、本来、特殊再生期間TSが経過する時刻t=t3まで行われるが、図１３では、時刻t=t1の後、時刻t=t3よりも前の時刻t=t2において、特定開始イベントとしてのイベントi2が発生している。
【０３１８】
図１３では、時刻t=t2での特定開始イベントとしてのイベントi2の発生に応じて、即座に、時刻t=t1から開始された第２の画像の240fps特殊再生が終了されるとともに、時刻t=t2からの第２の画像の240fps特殊再生が開始される。
【０３１９】
時刻t=t2から開始された第２の画像の240fps特殊再生は、特殊再生期間TSが経過する時刻t=t4まで行われ、その時刻t=t4で終了する。
【０３２０】
時刻t=t4からは、フレームレートが240fpsの第２の画像の240fps通常再生が行われる。
【０３２１】
なお、図１３では、時刻t=t2での特定開始イベントとしてのイベントi2の発生に応じて、即座に、時刻t=t1から開始された第２の画像の240fps特殊再生を終了し、時刻t=t2からの第２の画像の240fps特殊再生を開始することとした。
【０３２２】
しかしながら、時刻t=t2での特定開始イベントとしてのイベントi2の発生に応じて、即座に、時刻t=t1から開始された第２の画像の240fps特殊再生を終了するのではなく、時刻t=t1から開始された第２の画像の240fps特殊再生を、特殊再生期間TSが経過する時刻t=t3まで行い、その後、特定開始イベントとしてのイベントi2の発生に応じた第２の画像の240fps特殊再生を開始することができる。
【０３２３】
＜等間隔モード処理での第２の画像の撮像及び表示＞
【０３２４】
図１４は、等間隔モード処理での第２の画像の撮像及び表示のタイミングの第１の例を説明するタイミングチャートである。
【０３２５】
なお、図１４では（後述する図１５でも同様）、図が煩雑になるのを避けるため、第２の画像の撮像のタイミングについては、第２の画像のフレームレートの変更に応じて開始される特殊プレビュー処理で特殊再生の対象となる第２の画像の対象期間TTと、特定開始イベントの発生に応じて開始される特殊再生の対象となる第２の画像の対象期間TTとを分けて図示してある。
【０３２６】
また、図１４では、まず、第２の画像のフレームレートの変更に応じて開始される特殊プレビュー処理の特殊再生と、特定開始イベントの発生に応じて開始される特殊再生とを分けて説明し、その後、最終的に行われる第２の画像の特殊再生（及び通常再生）を説明する。
【０３２７】
図１４では、時刻t=t0において、ユーザが変更操作を行い、第２の画像のフレームレートが240fpsに変更され、そのフレームレートの変更に応じて、240fpsのフレームレートの第２の画像の特殊プレビュー処理が開始されている。
【０３２８】
すなわち、時刻t=t0において、第２の画像の240fps特殊再生としてのスロー再生が開始され、時刻t=t0から開始された240fps特殊再生は、特殊再生期間TSが経過するまで行われ、時刻t=t0から特殊再生期間TSが経過した時刻t=t1で終了する。
【０３２９】
時刻t1からは、通常再生期間TNとなり、時刻t=t1からの通常再生期間TNでは、その通常再生期間TNに撮像された、フレームレートが240fpsの第２の画像の240fps通常再生が行われる。
【０３３０】
直前の240fps特殊再生が開始された時刻t=t0から、特殊再生周期TCが経過した時刻t=t2になると、時刻t=t1から開始された第２の画像の240fps通常再生が終了する。
【０３３１】
時刻t=t2は、新たな特殊再生周期TCの開始時刻であり、時刻t=t2から対象期間TTに撮像された第２の画像の240fps特殊再生としてのスロー再生が開始される。
【０３３２】
その後、フレームレートが240fpsの第２の画像の240fps特殊再生が、特殊再生期間TSを経過する時刻t=t3まで行われ、時刻t=t3からは、フレームレートが240fpsの第２の画像の240fps通常再生が、通常再生期間TNを経過する時刻t=t4まで行われる。
【０３３３】
時刻t=t4では、時刻t=t3から開始された第２の画像の240fps通常再生が終了する。
【０３３４】
さらに、時刻t=t4は、新たな特殊再生周期TCの開始時刻であり、時刻t=t4から対象期間TTに撮像された第２の画像の240fps特殊再生としてのスロー再生が開始される。
【０３３５】
その後、フレームレートが240fpsの第２の画像の240fps特殊再生が、特殊再生期間TSを経過する時刻t=t5まで行われ、時刻t=t5からは、フレームレートが240fpsの第２の画像の240fps通常再生が、通常再生期間TNを経過する時刻t=t6まで行われて終了する。
【０３３６】
時刻t=t6は、新たな特殊再生周期TCの開始時刻であり、時刻t=t6から対象期間TTに撮像された第２の画像の240fps特殊再生としてのスロー再生が開始される。
【０３３７】
その後、フレームレートが240fpsの第２の画像の240fps特殊再生が、特殊再生期間TSを経過する時刻t=t7まで行われる。そして、以下、同様に、第２の画像のフレームレートの変更に応じて開始される特殊プレビュー処理では、特殊再生と通常再生とが、周期的に繰り返される。
【０３３８】
一方、図１４では、時刻t=t11において、特定開始イベントとしてのイベントi1が発生している。
【０３３９】
時刻t=t11では、特定開始イベントとしてのイベントi1の発生に応じて、240fpsのフレームレートの第２の画像の240fps特殊再生としてのスロー再生が開始される。
【０３４０】
時刻t=t11から開始された第２の画像の240fps特殊再生は、特殊再生期間TSだけ行われ、その特殊再生期間TSが経過した時刻t=t12で終了する。
【０３４１】
時刻t=t12からは、フレームレートが240fpsの第２の画像の240fps通常再生が行われる。
【０３４２】
図１４では、その後の時刻t=t13において、特定開始イベントとしてのイベントi2が発生している。
【０３４３】
時刻t=t13では、特定開始イベントとしてのイベントi2の発生に応じて、240fpsのフレームレートの第２の画像の240fps特殊再生としてのスロー再生が開始される。
【０３４４】
時刻t=t13から開始された第２の画像の240fps特殊再生は、特殊再生期間TSだけ行われ、その特殊再生期間TSが経過した時刻t=t14で終了する。
【０３４５】
時刻t=t14からは、フレームレートが240fpsの第２の画像の240fps通常再生が行われる。
【０３４６】
ここで、以下、第２の画像のフレームレートの変更に応じて開始される特殊プレビュー処理の特殊再生を、フレームレートの変更に対する特殊再生ともいう。
【０３４７】
また、特定開始イベントの発生に応じて開始される特殊再生を、特定開始イベントに対する特殊再生ともいう。
【０３４８】
フレームレートの変更に対する特殊再生が行われる特殊再生期間TSと、特定開始イベントに対する特殊再生が行われる特殊再生期間TSとが重複しない場合には、フレームレートの変更に対する特殊再生と、特定開始イベントに対する特殊再生とのそれぞれを、特殊再生期間TSだけ行うことができる。
【０３４９】
しかしながら、フレームレートの変更に対する特殊再生が行われる特殊再生期間TSと、特定開始イベントに対する特殊再生が行われる特殊再生期間TSとが重複する場合には、フレームレートの変更に対する特殊再生、及び、特定開始イベントに対する特殊再生のうちの一方の特殊再生が、他方の特殊再生によって妨げられる。
【０３５０】
図１４では、時刻t=t4からのフレームレートの変更に対する特殊再生が行われる特殊再生期間TS内の時刻t=t11において、特定開始イベントとしてのイベントi1が発生している。このイベントi1に対する特殊再生は、既に開始されている、時刻t=t4からのフレームレートの変更に対する特殊再生によって妨げられる。
【０３５１】
さらに、図１４では、時刻t=t13での特定開始イベントとしてのイベントi2の発生に応じて、イベントi2に対する特殊再生が行われる特殊再生期間TS内の時刻t=t6が、フレームレートの変更に対する特殊再生の開始時刻になっている。時刻t=t6を開始時刻とする、フレームレートの変更に対する特殊再生は、既に開始されている、イベントi2に対する特殊再生によって妨げられる。
【０３５２】
以上のように、フレームレートの変更に対する特殊再生、及び、特定開始イベントに対する特殊再生のうちの一方の特殊再生が、他方の特殊再生によって妨げられる場合には、例えば、フレームレートの変更に対する特殊再生、及び、特定開始イベントに対する特殊再生のうちのいずれかの特殊再生を優先させることができる。
【０３５３】
フレームレートの変更に対する特殊再生、及び、特定開始イベントに対する特殊再生のうちの、優先させる特殊再生を、以下、優先特殊再生ともいう。
【０３５４】
優先特殊再生は、フレームレートの変更に対する特殊再生、及び、特定開始イベントに対する特殊再生のうちのいずれか一方に固定する他、適宜変更することができる。
【０３５５】
すなわち、フレームレートの変更に対する特殊再生が行われる特殊再生期間TSと、特定開始イベントに対する特殊再生が行われる特殊再生期間TSとが重複する場合には、その重複部分については、例えば、先に開始された特殊再生を、優先特殊再生として、優先させることができる。
【０３５６】
図１４では、フレームレートの変更に対する特殊再生、及び、特定開始イベントに対する特殊再生のうちの、例えば、特定開始イベントに対する特殊再生が、優先特殊再生として優先される。
【０３５７】
すなわち、図１４では、時刻t=t4からのフレームレートの変更に対する特殊再生が行われる特殊再生期間TSと、時刻t=t11で発生するイベントi1に対する特殊再生が行われる特殊再生期間TSとが重複する。
【０３５８】
時刻t=t4からのフレームレートの変更に対する特殊再生は、時刻t=t11で発生するイベントi1に対する特殊再生よりも先に開始されるが、特定開始イベントに対する特殊再生が、優先特殊再生として優先される場合には、先に開始された時刻t=t4からのフレームレートの変更に対する特殊再生が、時刻t=t11で終了される。
【０３５９】
そして、時刻t=t11からは、時刻t=t11で発生したイベントi1に対する特殊再生が、特殊再生期間TSだけ行われる。
【０３６０】
また、例えば、図１４では、時刻t=t13で発生するイベントi2に対する特殊再生が行われる特殊再生期間TSと、時刻t=t6からのフレームレートの変更に対する特殊再生が行われる特殊再生期間TSとが重複する。
【０３６１】
時刻t=t13で発生するイベントi2に対する特殊再生は、時刻t=t6からのフレームレートの変更に対する特殊再生よりも先に開始されるが、特定開始イベントに対する特殊再生が、優先特殊再生として優先される場合には、フレームレートの変更に対する特殊再生が開始される時刻t=t6になっても、時刻t=t6からのフレームレートの変更に対する特殊再生は開始されない。そして、先に開始されている、時刻t=t13で発生するイベントi2に対する特殊再生が、そのまま続行される。
【０３６２】
その後、時刻t=t13から特殊再生期間TSが経過した時刻t=t14になると、イベントi2に対する特殊再生が終了される。
【０３６３】
ここで、仮に、時刻t=t6からのフレームレートの変更に対する特殊再生が、時刻t=t6から開始された場合、その特殊再生が終了される時刻t=t7、すなわち、時刻t=t6から特殊再生期間TSが経過した時刻t=t7は、イベントi2に対する特殊再生が終了される時刻t=t14よりも後に時刻になる。
【０３６４】
そこで、時刻t=t14において、優先特殊再生としての、イベントi2に対する特殊再生が終了した後は、その後、時刻t=t6からのフレームレートの変更に対する特殊再生が、時刻t=t6から開始された場合に、その特殊再生が終了される時刻t=t7までの期間は、フレームレートの変更に対する特殊再生を行うことができる。
【０３６５】
なお、上述の場合には、フレームレートの変更に対する特殊再生が行われる特殊再生期間TSと、特定開始イベントに対する特殊再生が行われる特殊再生期間TSとが重複するときには、フレームレートの変更に対する特殊再生、及び、特定開始イベントに対する特殊再生のうちのいずれかの特殊再生を優先させることとした。
【０３６６】
しかしながら、フレームレートの変更に対する特殊再生が行われる特殊再生期間TSと、特定開始イベントに対する特殊再生が行われる特殊再生期間TSとが重複する場合には、フレームレートの変更に対する特殊再生、及び、特定開始イベントに対する特殊再生のうちのいずれかの特殊再生を優先させるのではなく、重複する特殊再生期間TSの延べ期間に亘って、その延べ期間の先頭のタイミングの第２の画像から、特殊再生を行うことができる。
【０３６７】
また、図１４では、フレームレートの変更に対する特殊再生、すなわち、特殊プレビュー処理の特殊再生については、直前に行われた、フレームレートの変更に対する特殊再生が開始された時刻（例えば、時刻t=t0等）から、特殊再生周期TCが経過した時刻（例えば、時刻t=t2等）を、新たな特殊再生周期TCの開始時刻として、フレームレートの変更に対する特殊再生を行うこととした。
【０３６８】
しかしながら、新たな特殊再生周期TCの開始時刻としては、その他、例えば、フレームレートの変更に対する特殊再生か、特定開始イベントに対する特殊再生かに関わらず、直前の特殊再生が開始された時刻を採用することができる。
【０３６９】
図１５は、等間隔モード処理での第２の画像の撮像及び表示のタイミングの第２の例を説明するタイミングチャートである。
【０３７０】
図１５では、時刻t=t0において、ユーザが変更操作を行い、第２の画像のフレームレートが240fpsに変更され、そのフレームレートの変更に応じて、240fpsのフレームレートの第２の画像の特殊プレビュー処理が開始されている。
【０３７１】
すなわち、時刻t=t0において、第２の画像の特殊再生としてのスロー再生が開始され、時刻t=t0から開始された特殊再生は、特殊再生期間TSが経過するまで行われ、時刻t=t0から特殊再生期間TSが経過した時刻t=t1で終了する。
【０３７２】
時刻t1からは、通常再生期間TNとなり、時刻t=t1からの通常再生期間TNでは、その通常再生期間TNに撮像された、フレームレートが240fpsの第２の画像の通常再生が行われる。
【０３７３】
直前の特殊再生が開始された時刻t=t0から、特殊再生周期TCが経過した時刻t=t2になると、時刻t=t1から開始された第２の画像の通常再生が終了する。
【０３７４】
そして、直前の特殊再生が開始された時刻t=t0から、特殊再生周期TCが経過した時刻t=t2を、新たな特殊再生周期TCの開始時刻として、時刻t=t2から対象期間TTに撮像された第２の画像の特殊再生としてのスロー再生が開始される。
【０３７５】
時刻t=t2からの第２の画像の特殊再生は、特殊再生期間TSを経過する時刻t=t3まで行われ、時刻t=t3からは、フレームレートが240fpsの第２の画像の通常再生が開始される。
【０３７６】
時刻t=t3からの第２の画像の通常再生は、本来ならば、通常再生期間TNを経過する時刻まで行われるが、図１５では、時刻t=t3から通常再生期間TNを経過する前の時刻t=t11において、特定開始イベントとしてのイベントi1が発生している。
【０３７７】
そのため、時刻t=t11において、時刻t=t3からの第２の画像の通常再生が終了され、特定開始イベントとしてのイベントi1の発生に応じた第２の画像の特殊再生としてのスロー再生が開始される。
【０３７８】
時刻t=t11から開始された第２の画像の特殊再生は、特殊再生期間TSだけ行われ、その特殊再生期間TSが経過した時刻t=t12で終了する。
【０３７９】
時刻t=t12からは、フレームレートが240fpsの第２の画像の通常再生が行われる。
【０３８０】
直前の特殊再生が開始された時刻t=t11から、特殊再生周期TCが経過した時刻t=t4になると、時刻t=t12から開始された第２の画像の通常再生が終了する。
【０３８１】
そして、直前の特殊再生が開始された時刻t=t11から、特殊再生周期TCが経過した時刻t=t4を、新たな特殊再生周期TCの開始時刻として、時刻t=t4から対象期間TTに撮像された第２の画像の特殊再生としてのスロー再生が開始される。
【０３８２】
時刻t=t4からの第２の画像の特殊再生は、特殊再生期間TSを経過する時刻t=t5まで行われ、時刻t=t5からは、フレームレートが240fpsの第２の画像の通常再生が開始される。
【０３８３】
以下、同様に、図１５では、フレームレートの変更に対する特殊再生か、特定開始イベントに対する特殊再生かに関わらず、直前の特殊再生が開始された時刻を、新たな特殊再生周期TCの開始時刻として、特殊プレビュー処理の特殊再生が行われる。
【０３８４】
以上説明したように、第２の画像の特殊再生の開始タイミング、すなわち、例えば、第２の画像のスローモーション画像を確認するプレビューの表示を開始する開始タイミングを、適切なタイミングとすることにより、ユーザが所望するスローモーション画像となる第２の画像のフレームレートを、より迅速に決定することができる。
【０３８５】
したがって、第２の画像のフレームレートを、短時間で決定することができるので、撮影機会を逃すことを抑制し、ユーザが所望する画像（第２の画像）を、短時間で撮影（記録）することができる。
【０３８６】
なお、以上においては、特殊再生として、第２の画像を、その第２の画像のフレームレートよりも小さい表示レートで表示するスロー再生を行う場合について説明したが、本技術は、特殊再生として、第２の画像を、その第２の画像のフレームレートよりも大きい表示レートで表示する早送り再生を行う場合にも適用することができる。
【０３８７】
但し、第２の画像の早送り再生を行う場合には、第２の画像のフレームを、早送り再生を行う期間に必要な分だけバッファリングしてから、第２の画像の早送り再生を開始する必要がある。そのため、早送り再生を行う場合には、少なくとも、バッファリングを行う分の遅延が生じるおそれがある。
【０３８８】
＜本技術を適用したコンピュータの説明＞
【０３８９】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０３９０】
図１６は、上述した一連の処理を実行するプログラムがインストールされるコンピュータの一実施の形態の構成例を示すブロック図である。
【０３９１】
プログラムは、コンピュータに内蔵されている記録媒体としてのハードディスク１０５やROM１０３に予め記録しておくことができる。
【０３９２】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０３９３】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０３９４】
コンピュータは、CPU(Central Processing Unit)１０２を内蔵しており、CPU１０２には、バス１０１を介して、入出力インタフェース１１０が接続されている。
【０３９５】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０３９６】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０３９７】
なお、入力部１０７は、キーボードや、マウス、マイク等で構成される。また、出力部１０６は、LCD(Liquid Crystal Display)やスピーカ等で構成される。
【０３９８】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０３９９】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０４００】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０４０１】
なお、本技術の実施の形態は、上述した実施の形態に限定されるものではなく、本技術の要旨を逸脱しない範囲において種々の変更が可能である。
【０４０２】
例えば、本技術は、１つの機能をネットワークを介して複数の装置で分担、共同して処理するクラウドコンピューティングの構成をとることができる。
【０４０３】
また、上述のフローチャートで説明した各ステップは、１つの装置で実行する他、複数の装置で分担して実行することができる。
【０４０４】
さらに、１つのステップに複数の処理が含まれる場合には、その１つのステップに含まれる複数の処理は、１つの装置で実行する他、複数の装置で分担して実行することができる。
【０４０５】
また、本明細書に記載された効果はあくまで例示であって限定されるものではなく、他の効果があってもよい。
【０４０６】
なお、本技術は、以下の構成をとることができる。
【０４０７】
＜１＞
所定の状況変化に応じて、フレームレートが変更可能な画像を、前記フレームレートと異なる表示レートで表示装置に表示させる特殊再生を開始する表示制御部を備える
表示制御装置。
＜２＞
前記表示制御部は、前記所定の状況変化に応じて、所定の特殊再生期間だけ、前記特殊再生を行う
＜１＞に記載の表示制御装置。
＜３＞
前記表示制御部は、前記フレームレートの変更に応じて、所定の特殊再生期間だけ、前記特殊再生を行うことを、所定の特殊再生周期で繰り返す特殊プレビュー処理を行う
＜２＞に記載の表示制御装置。
＜４＞
前記所定の状況変化は、前記フレームレートの変更である
＜１＞に記載の表示制御装置。
＜５＞
ユーザの操作に応じて、前記特殊再生の対象となる前記画像の対象期間を設定する
＜３＞に記載の表示制御装置。
＜６＞
ユーザの操作に応じて、前記特殊再生期間及び前記特殊再生周期を設定する
＜３＞ないし＜５＞のいずれかに記載の表示制御装置。
＜７＞
前記表示制御部は、前記特殊再生周期のうちの、前記特殊再生期間以外の期間を、通常再生期間として、前記通常再生期間に、前記フレームレートと前記表示レートとを同一にして、前記画像を前記表示装置に表示させる通常再生を行う
＜３＞ないし＜６＞のいずれかに記載の表示制御装置。
＜８＞
前記表示制御部は、前記フレームレートが変更された場合、変更後の前記フレームレートの前記画像について、前記特殊プレビュー処理を開始する
＜３＞ないし＜７＞のいずれかに記載の表示制御装置。
＜９＞
前記表示制御部は、前記フレームレートが変更された場合、変更時に行われている、前記フレームレートの変更前の前記画像についての前記特殊プレビュー処理の前記特殊再生周期の終了後に、前記フレームレートの変更後の前記画像についての前記特殊プレビュー処理を開始する
＜３＞ないし＜７＞のいずれかに記載の表示制御装置。
＜１０＞
前記フレームレートが前記表示レートより大に変更された場合、前記画像は、スロー再生され、
前記フレームレートが前記表示レートより小に変更された場合、前記画像は、早送り再生される
＜４＞に記載の表示制御装置。
＜１１＞
前記所定の状況変化は、前記画像から検出される状況変化である
＜１＞に記載の表示制御装置。
＜１２＞
前記所定の状況変化は、前記画像の撮像時に行われるセンシングにより得られるセンサ情報から検出される状況変化である
＜１＞又は＜１１＞に記載の表示制御装置。
＜１３＞
前記表示制御部は、
所定の特殊再生期間だけ、前記特殊再生を行うことを、所定の特殊再生周期で繰り返す特殊プレビュー処理を行うとともに、
前記所定の状況変化に応じて、所定の特殊再生期間だけ、前記特殊再生を行う
＜２＞、＜１１＞、及び、＜１２＞のいずれかに記載の表示制御装置。
＜１４＞
前記表示制御部は、
前記フレームレートの変更に応じて、前記特殊プレビュー処理を行い、
前記フレームレートの変更以外の前記所定の状況変化に応じて、所定の特殊再生期間だけ、前記特殊再生を行う
＜１３＞に記載の表示制御装置。
＜１５＞
前記表示制御部は、前記フレームレートの変更以外の前記所定の状況変化が発生した場合、即座に、所定の特殊再生期間だけ、前記特殊再生を行う
＜１４＞に記載の表示制御装置。
＜１６＞
ユーザの操作に応じて、前記フレームレートの変更以外の前記所定の状況変化を設定する
＜１４＞又は＜１５＞に記載の表示制御装置。
＜１７＞
前記フレームレートの変更以外の前記所定の状況変化に応じた前記特殊再生と、
前記フレームレートの変更以外の前記所定の状況変化に応じた前記特殊再生、及び、前記フレームレートの変更に応じた前記特殊プレビュー処理の両方と
のうちのいずれを行うかを、ユーザの操作に応じて設定する
＜１４＞ないし＜１６＞のいずれかに記載の表示制御装置。
＜１８＞
所定の状況変化に応じて、フレームレートが変更可能な画像を、前記フレームレートと異なる表示レートで表示装置に表示させる特殊再生を開始する
ステップを含む表示制御方法。
＜１９＞
所定の状況変化に応じて、フレームレートが変更可能な画像を、前記フレームレートと異なる表示レートで表示装置に表示させる特殊再生を開始する表示制御部
として、コンピュータを機能させるためのプログラム。
【符号の説明】
【０４０８】
１１  光学系，  １２  撮像装置，  １３  ディジタル信号処理部，  １４，１５  表示装置，  １６  メモリ，  １７  入力装置，  １８  制御部，  １９  センサ部，  ２０  ドライバIC，  ３１，３２  現像処理部，  ３３  画像解析部，  ３４  記録再生処理部，  ３５  表示制御部，  ４１  ダイヤル，  ４２  シャッタボタン，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2017150237.tif 000003
【図２】
2017150237.tif 000004
【図３】
2017150237.tif 000005
【図４】
2017150237.tif 000006
【図５】
2017150237.tif 000007
【図６】
2017150237.tif 000008
【図７】
2017150237.tif 000009
【図８】
2017150237.tif 000010
【図９】
2017150237.tif 000011
【図１０】
2017150237.tif 000012
【図１１】
2017150237.tif 000013
【図１２】
2017150237.tif 000014
【図１３】
2017150237.tif 000015
【図１４】
2017150237.tif 000016
【図１５】
2017150237.tif 000017
【図１６】
2017150237.tif 000018
【国際調査報告】
2017150237.tif 000019
2017150237.tif 000020
2017150237.tif 000021
2017150237.tif 000022
2017150237.tif 000023
2017150237.tif 000024
2017150237.tif 000025
2017150237.tif 000026
2017150237.tif 000027